(57)【要約】  【課題】投影装置の機能を拡張できる投影装置用補助装置を提供する。  【解決手段】プロジェクタ１０は、クレードル３０上に載置されると投影輝度を高める一方、単体で使用される場合は投影輝度を抑える。プロジェクタ１０は、クレードル３０上に載置されるとプロジェクタ１０からクレードル３０へ音声信号を送信し、クレードル３０からステレオ再生させる。プロジェクタ１０は、クレードル３０上に載置されるとクレードル３０の操作部材１５３から操作される。プロジェクタ１０は、クレードル３０上に載置されるとクレードル３０に装着されたメモリカード２１０や２２０に記録されている画像データによる再生像を投影する。プロジェクタ１０は、クレードル３０上に載置されると自身のバッテリーより先にクレードル３０の電源を使用する。  【選択図】図５
2007047577.tif 000002
【特許請求の範囲】
【請求項１】
光学像を投影する投影装置との間で通信を行う通信手段と、
前記通信手段によって前記投影装置との間で通信を行う場合、通常機能より広範囲で前記投影装置を動作させる投影補助手段とを備えることを特徴とする投影装置用補助装置。
【請求項２】
請求項１に記載の投影装置用補助装置において、
音声再生装置、データ読出し装置、操作部材、および電源供給手段をさらに備え、
前記投影補助手段は、(1)前記通信によって前記投影装置から取得した音声信号を再生するように前記音声再生装置を制御する、(2)前記通信によって前記投影装置から取得した要求信号に応じて記録媒体から読出した画像データを前記投影装置へ送信するように前記データ読出し装置および前記通信手段をそれぞれ制御する、(3)前記操作部材から出力される操作信号に応じてフォーカス調節指示信号を前記投影装置へ送信するように前記通信手段を制御する、(4)前記投影装置へ電源を供給するように前記電源供給手段を制御する、(5)投影輝度を高める制御信号を前記投影装置へ送信するように前記通信手段を制御する、のうち少なくとも１つの制御を行うことを特徴とする投影装置用補助装置。
【請求項３】
光学像を投影する投影手段、投影装置用補助装置との間で通信を行う第１通信手段、および前記第１通信手段によって前記投影装置用補助装置との間で通信を行う場合、通常機能より広範囲で前記投影手段を動作させる投影制御手段を有する投影装置と、
前記投影装置との間で通信を行う第２通信手段、および前記第２通信手段によって前記投影装置との間で通信を行う場合、通常機能より広範囲で前記投影装置を動作させる投影補助手段を有する投影装置用補助装置とを備えることを特徴とする投影システム。
【請求項４】
請求項３に記載の投影システムにおいて、
前記投影制御手段は、前記通信によって前記投影装置用補助装置から取得した制御信号に応じて投影輝度を高めるように前記投影手段を制御することを特徴とする投影システム。
【請求項５】
請求項３または４に記載の投影システムにおいて、
前記投影制御手段は、前記投影装置用補助装置から取得する画像データによる再生像を前記投影手段に投影させる場合、要求信号を前記第１通信手段から前記投影装置用補助装置へ送信させ、前記要求信号に応じて前記投影装置用補助装置から送信され、前記第１通信手段で受信した画像データによる再生像を前記投影手段に投影させることを特徴とする投影システム。
【請求項６】
請求項３または４に記載の投影システムにおいて、
前記投影制御手段は、前記投影装置用補助装置との間で通信を行う場合、音声信号を前記第１通信手段から前記投影装置用補助装置へ送信させることを特徴とする投影システム。
【発明の詳細な説明】
【技術分野】
【０００１】
本発明は、光学像を投影する投影装置に用いる補助装置および投影システムに関する。
【背景技術】
【０００２】
投影機能を備えた小型電子機器が知られている（特許文献１参照）。特許文献１に記載のプロジェクタ付き携帯電話機は、通話者が通話しながら通話者自身の手のひらに情報を投影したり、通話しながら壁面に情報を投影したりする。
【０００３】
【特許文献１】特開２０００−２３６３７５号公報
【発明の開示】
【発明が解決しようとする課題】
【０００４】
特許文献１には、投影機能を拡張させる技術について開示されていない。
【課題を解決するための手段】
【０００５】
本発明による投影装置用補助装置は、光学像を投影する投影装置との間で通信を行う通信手段と、通信手段によって投影装置との間で通信を行う場合、通常機能より広範囲で投影装置を動作させる投影補助手段とを備えることを特徴とする。
請求項１に記載の投影装置用補助装置はさらに、音声再生装置、データ読出し装置、操作部材、および電源供給手段を備えてもよい。この場合の投影補助手段は、(1)通信によって投影装置から取得した音声信号を再生するように音声再生装置を制御する、(2)通信によって投影装置から取得した要求信号に応じて記録媒体から読出した画像データを投影装置へ送信するようにデータ読出し装置および通信手段をそれぞれ制御する、(3)操作部材から出力される操作信号に応じてフォーカス調節指示信号を投影装置へ送信するように通信手段を制御する、(4)投影装置へ電源を供給するように電源供給手段を制御する、(5)投影輝度を高める制御信号を投影装置へ送信するように通信手段を制御する、のうち少なくとも１つの制御を行うことができる。
本発明による投影システムは、光学像を投影する投影手段、投影装置用補助装置との間で通信を行う第１通信手段、および第１通信手段によって投影装置用補助装置との間で通信を行う場合、通常機能より広範囲で投影手段を動作させる投影制御手段を有する投影装置と、投影装置との間で通信を行う第２通信手段、および第２通信手段によって投影装置との間で通信を行う場合、通常機能より広範囲で投影装置を動作させる投影補助手段を有する投影装置用補助装置とを備えることを特徴とする。
請求項３に記載の投影システムにおいて、投影制御手段は、通信によって投影装置用補助装置から取得した制御信号に応じて投影輝度を高めるように投影手段を制御することもできる。
請求項３または４に記載の投影システムにおいて、投影制御手段は、投影装置用補助装置から取得する画像データによる再生像を投影手段に投影させる場合、要求信号を第１通信手段から投影装置用補助装置へ送信させ、要求信号に応じて投影装置用補助装置から送信され、第１通信手段で受信した画像データによる再生像を投影手段に投影させることもできる。
請求項３または４に記載の投影システムにおいて、投影制御手段は、投影装置用補助装置との間で通信を行う場合、音声信号を第１通信手段から投影装置用補助装置へ送信させることもできる。
【発明の効果】
【０００６】
本発明による投影装置用補助装置、投影システムでは、投影装置の機能を拡張できる。
【発明を実施するための最良の形態】
【０００７】
以下、図面を参照して本発明を実施するための最良の形態について説明する。本発明による投影システムは、プロジェクタおよびクレードルによって構成される。クレードル上にプロジェクタが載置されると、クレードルおよびプロジェクタはインターフェース接続され、両者の間で通信および電源供給を行う。インターフェースには、少なくとも制御信号ライン（Control I/F）、データ信号ライン(Data I/F)、および電源ラインが含まれる。
【０００８】
≪プロジェクタ≫
図１は、本発明の一実施の形態による小型プロジェクタの三面図である。図１(a)は左側面図、図１(b)は平面図、図１(c)は正面図である。プロジェクタ１０は、制御部１と投射部２とを構成するそれぞれの筐体がヒンジ部３によって回動自在に支持されている。ヒンジ部３は、投射部２の長手方向において端部寄りに配設され、ヒンジ部３の回転軸は制御部１および投射部２の対向するそれぞれの面と垂直である。ヒンジ部３には不図示のクリック機構が設けられており、制御部１および投射部２間の相対角θが、たとえば９０度の位置、１８０度の位置、および２７０度の位置でそれぞれクリック機構がはたらく。なお、ヒンジ部３は上述したクリック位置でなくても、任意の角度で支持可能に構成されている。制御部１には、不図示のストラップなどを装着可能なストラップ取り付け部材１５が備えられている。
【０００９】
制御部１の上面には、操作部材１０３が配設されている。操作部材１０３はメインスイッチ、光源オン／オフスイッチなどを含み、プロジェクタ１０が単体で使用される場合に操作される。投射部２の上面には、フォーカス調節ダイアル１３が配設されている。フォーカス調節ダイアル１３は、後述する投影光学系のフォーカス調節の際に操作される。
【００１０】
投影像は、投射部２の正面に位置する開口２１から射出される。開口２１の配設位置は、投射部２の長手方向においてヒンジ部３と反対側である。
【００１１】
図２は、ヒンジ部３が回動したプロジェクタ１０の３態様を例示する図である。図２(a)は、ヒンジ部３を回動軸として相対角θ＝９０度まで投射部２を回動させた図、図２(b)は、ヒンジ部３を回動軸として相対角θ＝１８０度まで投射部２を回動させた図、図２(c)は、ヒンジ部３を回動軸として相対角θ＝２７０度まで投射部２を回動させた図である。図２(a)〜図２(c)のそれぞれにおいて、光束Ｂは投射部２から発せられる投影ビームを表す。
【００１２】
プロジェクタ１０が平面上に載置される場合、制御部１の上面１ａもしくは下面１ｂを下にして載置される。プロジェクタ１０が図２(a)および図２(b)の態様の場合、プロジェクタ１０は面１ａを下に載置される。プロジェクタ１０が図２(c)の態様の場合、プロジェクタ１０は面１ｂを下に載置される。制御部１のサイズは投射部２のサイズより大きいので、回動されている投射部２が載置平面に接しなくてもプロジェクタ１０の姿勢が安定する。なお、制御部１および投射部２間の相対角θが０度にされた図１の状態（収納姿勢）のプロジェクタ１０は、制御部１の上面１ａおよび下面１ｂのいずれの面を下にしても平面上に載置可能である。また、プロジェクタ１０は収納姿勢でも投影可能である。
【００１３】
図３は、プロジェクタ１０および後述するクレードル３０の回路構成を説明するブロック図である。図３において、プロジェクタ１０の制御部１には、ＣＰＵ１０１と、メモリ１０２と、操作部材１０３と、液晶表示器１０４と、スピーカー１０５と、外部インターフェース(I/F)１０６と、電源回路１０７と、検出スイッチ１１０とが備えられ、バッテリー１０８、およびメモリカード２００がそれぞれ装着されている。
【００１４】
投射部２には、投影レンズ１２１と、液晶パネル１２２と、ＬＥＤ光源１２３と、投射制御回路１２４と、レンズ駆動回路１２５と、姿勢センサ１３０とが備えられている。
【００１５】
コントローラであるＣＰＵ１０１は、制御プログラムに基づいて、プロジェクタ１０を構成する各部から入力される信号を用いて所定の演算を行うなどして、プロジェクタ１０の各部に対する制御信号を送出することにより、プロジェクタ１０の投影動作を制御する。なお、制御プログラムはＣＰＵ１０１内の不図示の不揮発性メモリに格納されている。ＣＰＵ１０１はさらに、プロジェクタ１０が投影する画像のデータに対する台形歪み補正（キーストン補正）を画像処理によって行う。
【００１６】
メモリ１０２はＣＰＵ１０１の作業用メモリとして使用される。操作部材１０３は、上述したメインスイッチ、光源オン／オフスイッチなどを含み、各操作スイッチに対応する操作信号をＣＰＵ１０１へ送出する。
【００１７】
メモリカード２００は不揮発性メモリによって構成され、制御部１の左側面に配設されるカードスロット１４（図１）より着脱可能に構成されている。メモリカード２００は、ＣＰＵ１０１からの指令により映像・音声データなどのデータの書き込み、保存および読み出しが可能である。
【００１８】
外部インターフェース(I/F)１０６は、ＣＰＵ１０１の指令により後述するクレードル、もしくはクレードルに接続されている外部機器との間でデータを送受信する。送受信するデータは、映像・音声データや、プロジェクタ１０に対する制御信号である。外部インターフェース(I/F)１０６には、電源ラインも含まれている。
【００１９】
スピーカー１０５は、ＣＰＵ１０１から出力された音声信号による音声を再生する。液晶表示器１０４は、ＣＰＵ１０１の指令によりテキストなどの情報を表示する。テキスト情報は、プロジェクタ１０の動作状態を示す情報や操作メニューなどである。
【００２０】
バッテリー１０８は充電可能な二次電池によって構成され、プロジェクタ１０内の各部へ電力を供給する。電源回路１０７はＤＣ／ＤＣ変換回路、充電回路、および電圧検出回路を含み、バッテリー１０８の電圧をプロジェクタ１０内の各部で必要な電圧に変換する他、バッテリー１０８の電圧が低く、残容量が低下している場合に外部インターフェース(I/F)１０６を介して供給される充電用電流でバッテリー１０８を充電する。また、電源回路１０７は、外部インターフェース(I/F)１０６を介して電源が供給される場合、供給された電源をバッテリー１０８より優先して使用するように構成される。
【００２１】
開閉角度検出スイッチ１１０はヒンジ部３の回動角を検出し、制御部１および投射部２間の相対角θが０度（収納姿勢）にされたことを検出するとオフ信号をＣＰＵ１０１へ送出し、上記角度以外ではオン信号を送出する。
【００２２】
投射制御回路１２４は、ＣＰＵ１０１の指令により液晶パネル１２２、ＬＥＤ光源１２３およびレンズ駆動回路１２５をそれぞれ制御する。投射制御回路１２４は、ＣＰＵ１０１から出力されるＬＥＤ駆動信号に応じてＬＥＤ光源１２３に所定の電流を供給する。ＬＥＤ光源１２３は、供給電流に応じた明るさで液晶パネル１２２を照明する。
【００２３】
投射制御回路１２４は、ＣＰＵ１０１から送信される画像データに応じて液晶パネル駆動信号を生成し、生成した駆動信号で液晶パネル１２２を駆動する。具体的には、液晶層に対して画像信号に応じた電圧を画素ごとに印加する。電圧が印加された液晶層は液晶分子の配列が変わり、当該液晶層の光の透過率が変化する。このように、画像信号に応じてＬＥＤ光源１２３からの光を変調することにより、液晶パネル１２２が光像を形成する。
【００２４】
レンズ駆動回路１２５は、投射制御回路１２４から出力される制御信号に基づいて、投影レンズ１２１を光軸に対して直交する方向へ進退移動させる。投影レンズ１２１は、液晶パネル１２２から射出される光像をスクリーンなどへ向けて投影する。
【００２５】
姿勢センサ１３０は、投射部２の姿勢を検出し、検出信号を投射制御回路１２４を介してＣＰＵ１０１へ送出する。これによりＣＰＵ１０１は、プロジェクタ１０が収納姿勢の状態にあるか、図２(a)〜図２(c)のいずれの状態にされているかを判定する。
【００２６】
（投射像のオフセット）
ＣＰＵ１０１は、投影レンズ１２１を光軸に直交する向きにシフトさせることによって光束Ｂの射出方向を変え、投射像をオフセットさせる。ＣＰＵ１０１は、図２(a)の状態を判定した場合、光束Ｂの一部が載置平面でけられないように光束Ｂを面１ａの延長面から離れる向きに射出させる。つまり、光束Ｂの上端が面１ａの延長面より下に向くように投影レンズ１２１をシフトさせる。
【００２７】
ＣＰＵ１０１はまた、図２(c)の状態を判定した場合、光束Ｂの一部が載置平面でけられないように光束Ｂを面１ｂの延長面から離れる向きに射出させる。つまり、光束Ｂの下端が面１ｂの延長面より上に向くように投影レンズ１２１をシフトさせる。
【００２８】
ＣＰＵ１０１はさらに、図２(b)の状態を判定した場合には、光束Ｂの下端が面１ｂの延長面より上を向くように投影レンズ１２１をシフトさせる。また、収容姿勢の状態（図１）を判定した場合にも、光束Ｂの下端が面１ｂの延長面より上を向くように投影レンズ１２１をシフトさせる。
【００２９】
投射像のオフセットは、投影レンズ１２１をシフトさせて行う他にも、液晶パネル１２２、ＬＥＤ光源１２３を光軸に対して垂直方向にシフトさせて行う構成としてもよい。すなわち、投影レンズ１２１と液晶パネル１２２の相対的位置関係を光軸に垂直な方向に変化させることで、投射像のオフセットを実現できる。
【００３０】
（投射像のキーストン補正）
投影レンズ１２１、液晶パネル１２２、ＬＥＤ光源１２３の一部を光軸に対して垂直方向にシフトさせる際には、そのシフト量に応じて投影するデータに対するキーストン補正を行う。投射像に上述したオフセットを与えるだけでは投射像が台形状に変化する。そこで、ＣＰＵ１０１は投射像を台形状から長方形状に補正するために画像処理による電気的なキーストン補正を施す。ＣＰＵ１０１内には、あらかじめ図２(a)〜図２(c)の各状態で投射像を長方形状に補正するための初期補正値が記憶されている。ＣＰＵ１０１は、この初期補正値をもとに、投影する像のデータに対してメモリ１０２上でキーストン補正処理を施す。なお、図２(a)〜図２(c)の各状態だけでなく、角度θに対応したキーストン補正処理を施してもよい。
【００３１】
（制御部の内部配置）
制御部１における筐体内の構成の要部配置について、図１(a)〜図１(c)を参照して説明する。バッテリー１０８は制御部１に実装される。メモリカード２００は、不図示の主回路基板上に実装されているカードコネクタ（不図示）に装着される。主回路基板にはさらに、外部インターフェース(I/F)１０６を構成するコネクタ１０６Ａが設けられている。なお、図１(c)の正面図では、投射部２内に配設されている構成の図示を省略し、制御部１内の構成の要部配置のみを図示している。
【００３２】
（投射部の内部配置）
投射部２における筐体内の構成の要部配置について、図１(b)を参照して説明する。投射部２には、投影レンズ１２１を含む投影光学系１２と、液晶パネル１２２を実装する基板１２２Ａと、集光光学系５４と、ＬＥＤ光源１２３を実装する基板１２３Ａと、基板１２３Ａ上のＬＥＤ光源１２３で発生した熱を放熱する放熱部材５３とが配設されている。投影光学系１２は、液晶パネル１２２を透過し、投射部２内を右方向へ進む光束を下方へ折り曲げた後、光束Ｂとして射出する。
【００３３】
投影光学系１２は、フォーカス調節ダイアル１３が回転操作されると、回転操作量に応じて光軸方向（図１(b)において左右方向）に進退移動するように構成されている。この進退移動により、投影像のフォーカス調節が行われる。
【００３４】
放熱部材５３は、熱伝導性が高い材料によって形成される。また、放熱部材５３は投射部２内においてヒンジ部３と一体化され、放熱部材５３からヒンジ部３へも熱を伝導するように構成される。放熱部材５３は、その表面に形成されている放熱フィン（不図示）から放熱する他に、投射部２の筐体へも放熱するように構成されている。具体的には、収納姿勢の状態で制御部１と対向する投射部２の筐体面の内側において、放熱部材５３と上記筐体面との間に熱伝導性が高い充填材６０を充填したり、高熱伝導性シートを挟んだりする。
【００３５】
（プロジェクタのメイン処理）
上述したプロジェクタ１０のＣＰＵ１０１によって行われるメイン処理の流れについて、図４のフローチャートを参照して説明する。図４による処理は、操作部材１０３を構成するメインスイッチがオン操作されると起動する。図４のステップＳ１において、ＣＰＵ１０１は、クレードル３０から制御信号が送信されているか否かを判定する。ＣＰＵ１０１は、外部インターフェース(I/F)１０６によって制御信号が受信された場合にステップＳ１を肯定判定してステップＳ２へ進み、制御信号が受信されていない場合にはステップＳ１を否定判定し、ステップＳ５へ進む。
【００３６】
ステップＳ２へ進むＣＰＵ１０１は、プロジェクタ１０がクレードル３０上の所定位置に載置されたとみなす。ステップＳ２において、ＣＰＵ１０１は、スピーカー１０５による再生の代わりにクレードル３０（ステレオスピーカー）から再生するように切替えてステップＳ３へ進む。具体的には、スピーカー１０５への音声信号の送信を停止し、クレードル３０へ音声信号を送信するように切り替える。
【００３７】
ステップＳ３において、ＣＰＵ１０１は投射制御回路１２４へ指令を送り、ＬＥＤ光源１２３への供給電流を通常レベルより所定電流だけアップさせてステップＳ４へ進む。これにより、プロジェクタ１０による投影像の輝度を通常時（プロジェクタ１０が単体で使用される場合の投影輝度）より高くするように設定される。
【００３８】
ステップＳ５へ進むＣＰＵ１０１は、プロジェクタ１０が単体で使用されるとみなす。ステップＳ５において、ＣＰＵ１０１は、スピーカー１０５による再生に切替えてステップＳ６へ進む。具体的には、音声信号の送信先をクレードル３０からスピーカー１０５へ切り替える。
【００３９】
ステップＳ６において、ＣＰＵ１０１は投射制御回路１２４へ指令を送り、ＬＥＤ光源１２３への供給電流を通常レベルに設定してステップＳ４へ進む。これにより、プロジェクタ１０による投影像の輝度を通常時の輝度にするように設定される。
【００４０】
ステップＳ４において、ＣＰＵ１０１は投影が指示されたか否かを判定する。ＣＰＵ１０１は、操作部材１０３を構成する光源オン／オフスイッチからオン操作信号が入力される、もしくはクレードル３０からのオン指示が外部インターフェース(I/F)１０６を介して入力された場合、ステップＳ４を肯定判定してステップＳ７へ進み、オン操作信号およびオン指示のいずれも入力されない場合にはステップＳ４を否定判定し、ステップＳ１６へ進む。
【００４１】
ステップＳ７において、ＣＰＵ１０１は投射制御回路１２４へ指令を送り、再生画像の投影を開始させてステップＳ８へ進む。
【００４２】
ステップＳ８において、ＣＰＵ１０１は、記録日時が最も新しい画像データをメモリカード２００から読出し、読出した画像データを再生用の画像データとする。ＣＰＵ１０１が再生用画像データを投射制御回路１２４へ送信することにより、再生用画像データによる再生画像が投影される。なお、ＣＰＵ１０１は、投影中の画像のデータファイルに対応付けられて音声データが記憶されている場合、当該音声データによる音声を再生させる。なお、再生スピーカーは、ステップＳ２もしくはステップＳ５において切替えられているスピーカーである。
【００４３】
ステップＳ９において、ＣＰＵ１０１は、コマ送り／コマ戻し操作が行われたか否かを判定する。ＣＰＵ１０１は、操作部材１０３からコマ送りもしくはコマ戻しを指示する操作信号が入力されるとステップＳ９を肯定判定してステップＳ８へ戻り、操作信号に対応する画像データをメモリカード２００から読出し、読出した画像データを再生用の画像データとする。一方、ＣＰＵ１０１は、操作部材１０３からコマ送りおよびコマ戻しを指示する操作信号がいずれも入力されない場合には、ステップＳ９を否定判定してステップＳ１０へ進む。
【００４４】
ステップＳ１０において、ＣＰＵ１０１は、ソース切替え操作が行われたか否かを判定する。ＣＰＵ１０１は、操作部材１０３からソース切替えを指示する操作信号が入力されるとステップＳ１０を肯定判定してステップＳ１４へ進み、ソース切替えを指示する操作信号が入力されない場合にはステップＳ１０を否定判定してステップＳ１１へ進む。
【００４５】
ステップＳ１１において、ＣＰＵ１０１は、投影終了が指示されたか否かを判定する。ＣＰＵ１０１は、操作部材１０３を構成する光源オン／オフスイッチからオフ操作信号が入力される、もしくはクレードル３０からのオフ指示が外部インターフェース(I/F)１０６を介して入力された場合、ステップＳ１１を肯定判定してステップＳ１３へ進み、オフ操作信号およびオフ指示のいずれも入力されない場合にはステップＳ１１を否定判定し、ステップＳ１２へ進む。
【００４６】
ステップＳ１３において、ＣＰＵ１０１は投射制御回路１２４へ指令を送り、再生画像の投影を終了させてステップＳ１６へ進む。ステップＳ１２において、ＣＰＵ１０１は、再生用画像データが記録画像か否かを判定する。ＣＰＵ１０１は、再生用画像データがメモリカード２００に記録されている記録画像である場合にステップＳ１２を肯定判定してステップＳ９へ戻り、再生用画像データが外部インターフェース(I/F)１０６から入力された画像である場合にはステップＳ１２を否定判定し、ステップＳ１０へ戻る。
【００４７】
ステップＳ１４において、ＣＰＵ１０１は、投影する画像データ（再生用の画像データ）を切替えてステップＳ１５へ進む。具体的には、ソース切替え操作が行われるごとに、メモリカード２００から読み出した画像データと、外部インターフェース(I/F)１０６から入力される画像データとを切替えてステップＳ１５へ進む。外部インターフェース(I/F)１０６から入力される画像データに切替える場合のＣＰＵ１０１は、投影ソース要求信号を外部インターフェース(I/F)１０６からクレードル３０へ送信させる。
【００４８】
ステップＳ１５において、ＣＰＵ１０１は、切替え後の再生用画像データが記録画像か否かを判定する。ＣＰＵ１０１は、再生用画像データがメモリカード２００に記録されている記録画像に切替えられた場合にステップＳ１５を肯定判定してステップＳ８へ戻り、画像データをメモリカード２００から読出し、読出した画像データを再生用の画像データとする。一方、ＣＰＵ１０１は、再生用画像データが外部インターフェース(I/F)１０６から入力される画像データに切替えられた場合には、ステップＳ１５を否定判定してステップＳ１０へ戻る。この場合はコマ送り／戻し操作の判定は不要である。
【００４９】
ステップＳ１６において、ＣＰＵ１０１は、メインスイッチがオフされたか否かを判定する。操作部材１０３を構成するメインスイッチがオフ操作されるとステップＳ１６を肯定判定してステップＳ１７へ進み、メインスイッチがオフ操作されない場合にはステップＳ１６を否定判定し、ステップＳ１へ戻る。ステップＳ１７において、ＣＰＵ１０１は、所定の電源オフ処理を行って図４による処理を終了する。
【００５０】
≪クレードル≫
図５は、クレードル３０の上にプロジェクタ１０が載置された状態のクレードル３０およびプロジェクタ１０を示す三面図である。図５(a)は左側面図、図５(b)は平面図、図５(c)は正面図である。
【００５１】
図５(b)において、クレードル３０の上面の面積はプロジェクタ１０の上面の面積より広く構成される。したがって、クレードル３０上の所定位置にプロジェクタ１０を重ねて載置すると、クレードル３０の上面の一部の領域が露出する。この領域には、クレードル３０の操作部材１５３およびフォーカス調節ダイアル３２が配設されている。操作部材１５３は、メインスイッチ、光源オン／オフスイッチ、投影ソース切替えスイッチなどを含み、クレードル３０からプロジェクタ１０に対する操作が行えるように構成されている。
【００５２】
図３において、クレードル３０には、ＣＰＵ１５１と、メモリ１５２と、操作部材１５３と、ハードディスクドライブ(HDD)１５４と、電源回路１５６と、検出スイッチ１５８と、ファン１５９と、プロジェクタインターフェース(I/F)１６０と、ステレオスピーカーシステム１６１と、外部インターフェース(I/F)１５５とが備えられ、バッテリー１５７、およびメモリカード２１０および２２０がそれぞれ装着されている。
【００５３】
コントローラであるＣＰＵ１５１は、制御プログラムに基づいて、クレードル３０を構成する各部から入力される信号を用いて所定の演算を行うなどして、クレードル３０の各部に対する制御信号を送出することにより、クレードル３０の動作を制御する。なお、制御プログラムはＣＰＵ１５１内の不図示の不揮発性メモリに格納されている。
【００５４】
メモリ１５２はＣＰＵ１５１の作業用メモリとして使用される。操作部材１５３は、上述した各操作スイッチに対応する操作信号をＣＰＵ１５１へ送出する。
【００５５】
メモリカード２１０および２２０は、それぞれが不揮発性メモリによって構成された異なるタイプの記録媒体である。メモリカード２１０は、クレードル３０の左側面に配設されるカードスロット３４（図５(a)）より着脱可能に構成され、メモリカード２２０はカードスロット３５（図５）より着脱可能に構成される。メモリカード２１０および２２０は、ＣＰＵ１５１からの指令によってそれぞれ個別に映像・音声データなどのデータの書き込み、保存および読み出しが可能である。
【００５６】
ハードディスクドライブ(HDD)１５４は、メモリカードに比べて大容量の記録装置である。ハードディスクドライブ(HDD)１５４は、ＣＰＵ１５１からの指令により映像・音声データなどのデータの書き込み、保存および読み出しが可能である。ハードディスクドライブ(HDD)１５４は、プロジェクタ１０が投影した画像データそのものをコピーして保存したり、プロジェクタ１０が投影した画像データの履歴情報を保存したりすることも可能に構成される。
【００５７】
外部インターフェース(I/F)１５５は、ＣＰＵ１５１の指令によりパーソナルコンピュータ（ＰＣ）などの外部機器との間でデータを送受信する。送受信するデータは、映像・音声データや、プロジェクタ１０に対する制御信号である。ステレオスピーカーシステム１６１は、ＣＰＵ１５１から出力される音声信号をステレオ再生する。ステレオスピーカー１６１（左１６１Ｌ、右１６１Ｒ）は増幅回路を含み、各スピーカーの口径はプロジェクタ１０側のスピーカー１０５に比べて大きく構成され、より高品位の再生が行える。
【００５８】
バッテリー１５７は充電可能な二次電池によって構成され、クレードル３０内の各部へ電力を供給する。電源回路１５６はＤＣ／ＤＣ変換回路、充電回路、および電圧検出回路を含み、バッテリー１５７の電圧をクレードル３０内の各部で必要な電圧に変換する他、バッテリー１５７の電圧が低く、残容量が低下している場合には不図示の商用電源を介して供給される電流でバッテリー１５７を充電する。
【００５９】
電源回路１５６はさらに、クレードル３０上に載置されているプロジェクタ１０側へも電源供給を行うように構成されている。バッテリー１５７の容量は、プロジェクタ１０側のバッテリー１０８の容量より大きく構成されており、クレードル３０に商用電源が接続されていない場合でも、バッテリー１５７の電力でクレードル３０およびプロジェクタ１０を十分駆動できる。
【００６０】
検出スイッチ１５８はクレードル３０上の所定位置にプロジェクタ１０が載置された場合にオンされ、検出信号をＣＰＵ１５１へ送出する。プロジェクタ１０が所定位置に載置されていない場合にはオフされ、検出信号は送出しない。
【００６１】
プロジェクタインターフェース(I/F)１６０は、ＣＰＵ１５１の指令によりプロジェクタ１０との間でデータを送受信する。送受信するデータは、映像・音声データや、プロジェクタ１０に対する制御信号である。プロジェクタインターフェース(I/F)１６０には、電源ラインも含まれている。
【００６２】
（クレードルの内部配置）
クレードル３０における筐体内の構成の要部配置について、図５(a)〜図５(c)を参照して説明する。バッテリー１５７は、筐体の略中央部に実装される。メモリカード２１０は、不図示の主回路基板上に実装されている第１カードコネクタ（不図示）に装着され、メモリカード２２０は、上記主回路基板上に実装されている第２カードコネクタ（不図示）に装着される。メモリカード２１０および２２０は、両方を実装してもよいし、いずれか一方のみを実装してもかまわない。
【００６３】
主回路基板にはさらに、プロジェクタインターフェース（Ｉ／Ｆ）１６０を構成するコネクタ１６０Ａと、外部インターフェース(I/F)１５５を構成するコネクタ（不図示）が設けられている。プロジェクタ１０がクレードル３０上の所定位置に載置されると、クレードル３０側のコネクタ１６０Ａ（凸コネクタ）とプロジェクタ１０側のコネクタ１０６Ａ（凹コネクタ）とが嵌合する。なお、図５では、プロジェクタ１０内に配設されている構成の図示を省略し、クレードル３０内の構成の要部配置のみを図示している。
【００６４】
フォーカス調節ダイアル３２は、載置状態のプロジェクタ１０の下に隠れない位置に配設される。ダイアル３１は、載置状態のプロジェクタ１０のフォーカス調節ダイアル１３の直下に位置するように配設される。図５(a)〜図５(c)に示されるように、フォーカス調節ダイアル３２およびダイアル３１は共通の回転軸Ａｘで接続されている。フォーカス調節ダイアル３２の直径は、ダイアル３１の直径より大きい。ダイアル３１は、外周に歯（不図示）が形成された平歯車によって構成されている。一方、プロジェクタ１０側のフォーカス調節ダイアル１３も、外周に歯（不図示）が形成された平歯車によって構成される。ダイアル３１およびフォーカス調節ダイアル１３の直径は略等しく構成される。
【００６５】
プロジェクタ１０がクレードル３０上の所定位置に載置されると、ダイアル３１およびフォーカス調節ダイアル１３が係合する。これにより、フォーカス調節ダイアル３２が回転操作されると、回転運動が回転軸Ａｘおよびダイアル３１を介してフォーカス調節ダイアル１３へ伝達される結果、プロジェクタ１０による投影像のフォーカスが調節される。クレードル３０側のフォーカス調節ダイアル３２の直径がプロジェクタ１０側のフォーカス調節ダイアル１３の直径より大きいため、プロジェクタ１０においてフォーカス調節ダイアル１３を回転操作する場合に比べて、フォーカス調節ダイアル３２を回転操作する方が素早くフォーカス調節できる。
【００６６】
クレードル３０の上面にはプロジェクタ１０からの熱を放熱する放熱部材３３が設けられている。放熱部材３３はフィン状に形成され、収納姿勢にされているプロジェクタ１０の制御部１および投射部２間の空隙に挿入される。上述したように、投射部２内で発生した熱は充填材６０を介して投射部２の筐体へ伝導されているので、投射部２の熱は放熱部材３３を介してクレードル３０側の筐体へさらに伝導される。
【００６７】
冷却ファン１５９は、載置状態のプロジェクタ１０のヒンジ部３の下であって、クレードル３０の筐体上面に近接するように配設される。ファン１５９による送風の向きは図５(c)において上向きとし、クレードル３０の筐体上部には不図示の通気孔が設けられている。また、プロジェクタ１０の制御部１および投射部２の筐体についても、ファン１５９に対応する位置に不図示の通気孔が設けられる。これにより、クレードル３０のファン１５９によってプロジェクタ１０の放熱効果が高められている。
【００６８】
ハードディスクドライブ(HDD)１５４は、たとえば、クレードル３０の筐体内でファン１５９の下部に配設される。ステレオスピーカー１６１Ｌおよび１６１Ｒは、筐体正面の裏側にそれぞれ配設される。
【００６９】
（クレードルのメイン処理）
上述したクレードル３０のＣＰＵ１５１によって行われるメイン処理の流れについて、図６のフローチャートを参照して説明する。図６による処理は、操作部材１５３を構成するメインスイッチがオン操作されると起動する。図６のステップＳ５１において、ＣＰＵ１５１は、検出スイッチ１５８がオンされているか否かを判定する。ＣＰＵ１５１は、検出スイッチ１５８から検出信号が入力されている場合（検出スイッチオン）にステップＳ５１を肯定判定してステップＳ５２へ進み、検出スイッチ１５８から検出信号が入力されていない場合（検出スイッチオフ）にはステップＳ５１を否定判定し、ステップＳ５９へ進む。
【００７０】
ステップＳ５２において、ＣＰＵ１５１は、プロジェクタインターフェース(I/F)１６０からプロジェクタ１０へ制御信号を送信させてステップＳ５３へ進む。ステップＳ５３において、ＣＰＵ１５１は、プロジェクタ１０から投影ソースを要求されたか否かを判定する。ＣＰＵ１５１は、プロジェクタインターフェース(I/F)１６０によって投影ソース要求信号が受信されている場合にステップＳ５３を肯定判定してステップＳ５４へ進み、投影ソース要求信号が受信されていない場合にはステップＳ５３を否定判定し、ステップＳ５９へ進む。
【００７１】
ステップＳ５９へ進む場合のＣＰＵ１５１は、プロジェクタ１０から音声信号が送信される場合、プロジェクタインターフェース(I/F)１６０によって受信される音声データによる音声をステレオスピーカー１６１からステレオ再生させる。プロジェクタ１０から音声信号が送信されるのは、プロジェクタ１０内に装着されているメモリカード２００に記録されている画像データによる再生画像をプロジェクタ１０が投影する場合である。
【００７２】
ステップＳ５４において、ＣＰＵ１５１は、記録日時が最も新しい画像データをメモリカード２１０から読出し、読出した画像データをプロジェクタ１０へ送信する画像データとする。ＣＰＵ１５１が画像データをプロジェクタ１０へ送信することにより、この画像データによる再生画像がプロジェクタ１０によって投影される。なお、ＣＰＵ１５１は、投影中の画像のデータファイルに対応付けられて音声データが記憶されている場合、当該音声データによる音声をステレオスピーカー１６１からステレオ再生させる。
【００７３】
ステップＳ５５において、ＣＰＵ１５１は、コマ送り／コマ戻し操作が行われたか否かを判定する。ＣＰＵ１５１は、操作部材１５３からコマ送りもしくはコマ戻しを指示する操作信号が入力されるとステップＳ５５を肯定判定してステップＳ５４へ戻り、操作信号に対応する画像データをメモリカード２１０から読出し、読出した画像データをプロジェクタ１０へ送信する画像データとする。一方、ＣＰＵ１５１は、操作部材１５３からコマ送りおよびコマ戻しを指示する操作信号がいずれも入力されない場合には、ステップＳ５５を否定判定してステップＳ５６へ進む。
【００７４】
ステップＳ５６において、ＣＰＵ１５１は、ソース切替え操作が行われたか否かを判定する。ＣＰＵ１５１は、操作部材１５３からソース切替えを指示する操作信号が入力されるとステップＳ５６を肯定判定してステップＳ６１へ進み、ソース切替えを指示する操作信号が入力されない場合にはステップＳ５６を否定判定してステップＳ５７へ進む。
【００７５】
ステップＳ５７において、ＣＰＵ１５１は、投影ソースの要求が終了したか否かを判定する。ＣＰＵ１５１は、プロジェクタインターフェース(I/F)１６０を介して投影ソースを要求する信号が入力されなくなった場合、ステップＳ５７を肯定判定してステップＳ５９へ進み、投影ソースの要求が継続されている場合にはステップＳ５７を否定判定してステップＳ５８へ進む。
【００７６】
ステップＳ５８において、ＣＰＵ１５１は、プロジェクタ１０へ送信している画像データが記録画像か否かを判定する。ＣＰＵ１５１は、送信中の画像データがメモリカード２１０、メモリカード２２０、およびハードディスクドライブ(HDD)１５４のいずれかに記録されている記録画像である場合、ステップＳ５８を肯定判定してステップＳ５５へ戻る。ＣＰＵ１５１は、送信中の画像データが外部インターフェース(I/F)１５５から入力された画像である場合にはステップＳ５８を否定判定し、ステップＳ５６へ戻る。
【００７７】
ステップＳ６１において、ＣＰＵ１５１は、プロジェクタ１０へ送信する画像データを切替えてステップＳ６２へ進む。具体的には、ソース切替え操作が行われるごとに、メモリカード２１０から読み出した画像データと、メモリカード２２０から読み出した画像データと、ハードディスクドライブ(HDD)１５４から読み出した画像データと、外部インターフェース(I/F)１５５から入力される画像データとを順次切替えてステップＳ６２へ進む。なお、クレードル３０にメモリカードが装着されていない場合は、該当する記録媒体からの画像データ読出しをスキップする。
【００７８】
ステップＳ６２において、ＣＰＵ１５１は、プロジェクタ１０へ送信する画像データが記録画像か否かを判定する。ＣＰＵ１５１は、送信する画像データがメモリカード２１０、メモリカード２２０、およびハードディスクドライブ(HDD)１５４のいずれかに記録されている記録画像である場合にステップＳ６２を肯定判定してステップＳ５４へ戻り、該当する記録媒体から画像データを読出し、読出した画像データをプロジェクタ１０へ送信する画像データとする。一方、ＣＰＵ１５１は、送信する画像データが外部インターフェース(I/F)１５５から入力される画像データに切替えられた場合には、ステップＳ６２を否定判定してステップＳ５６へ戻る。この場合はコマ送り／戻し操作の判定は不要である。
【００７９】
ステップＳ５９において、ＣＰＵ１５１は、メインスイッチがオフされたか否かを判定する。ＣＰＵ１５１は、操作部材１５３を構成するメインスイッチがオフ操作されるとステップＳ５９を肯定判定してステップＳ６０へ進み、メインスイッチがオフ操作されない場合にはステップＳ５９を否定判定し、ステップＳ５１へ戻る。ステップＳ６０において、ＣＰＵ１５１は、所定の電源オフ処理を行って図６による処理を終了する。
【００８０】
以上説明した実施形態の投影システムによれば、次の作用効果が得られる。
（１）クレードル３０上にプロジェクタ１０が載置された場合、プロジェクタ１０による投影輝度を高める（ステップＳ３）ようにしたので、プロジェクタ１０が単体で使用される通常時に比べて高品位の投影像が得られる。一方、プロジェクタ１０が単体で使用される通常時はクレードル３０に載置される場合と比べて投影輝度を抑えたので、プロジェクタ１０内のバッテリー１０８の電力消費を抑えることができる。
【００８１】
（２）クレードル３０上にプロジェクタ１０が載置された場合、プロジェクタ１０からクレードル３０へ音声信号を送信し（ステップＳ２）、クレードル３０からステレオ再生させるようにしたので、プロジェクタ１０が単体で使用される通常時（スピーカー１０５による再生）に比べて高音量で高品位の再生音が得られる。
【００８２】
（３）クレードル３０上にプロジェクタ１０が載置された場合、クレードル３０の操作部材１５３からプロジェクタ１０に対する操作が行えるようにしたので、使用者にとって扱いやすい。また、クレードル３０に大きなフォーカス調節ダイアル３２を設け、プロジェクタ１０においてフォーカス調節ダイアル１３を回転操作する通常時に比べて素早くフォーカス調節できるようにしたので、使用者にとって操作が楽になる。
【００８３】
（４）クレードル３０に異なるタイプのメモリカード２１０、２２０を装着できるように構成し、クレードル３０上にプロジェクタ１０が載置された場合、メモリカード２１０や２２０に記録されている画像データによる再生像をプロジェクタ１０から投影するようにした。これにより、プロジェクタ１０に備えるカードスロットの数を抑えてプロジェクタ１０を小型に構成できる上に、プロジェクタ１０の機能では通常読出すことができない（プロジェクタ１０のカードスロットと異なる）タイプのメモリカードに記録されている画像データの像をプロジェクタ１０で投影させることが可能になる。
【００８４】
（５）クレードル３０上にプロジェクタ１０が載置された場合、クレードル３０からプロジェクタ１０へ電源を供給し、プロジェクタ１０内のバッテリー１０８より先にクレードル３０の電源を使用するようにしたので、バッテリー１０８を温存しておくことができる。これにより、プロジェクタ１０が通常は使用できない外部電源を使用することができ、プロジェクタ１０がクレードル３０から外された場合には、温存したバッテリー１０８によって長時間の使用が可能になる。
【００８５】
（６）クレードル３０上にプロジェクタ１０が載置された場合、プロジェクタ１０の投射部２で発生した熱をクレードル３０に伝え、クレードル３０からも放熱するようにしたので、プロジェクタ１０が単体で使用される通常時に比べて放熱効果を高めることができる。
【００８６】
以上の投影システムにおいて、上記（１）〜（６）の全てを行う代わりに、少なくとも１つを行うようにしてもよい。
【００８７】
（変形例１）
上述した説明では、クレードル３０上にプロジェクタ１０が載置された場合、必ずプロジェクタ１０による投影輝度を高める（ステップＳ３）ようにした。この代わりに、プロジェクタ１０がクレードル３０側のバッテリー１５７の残容量に応じて投影輝度を高めるか否かを決定するように構成してよい。この場合のクレードル３０の電源回路１５６は、バッテリー１５７の電圧が所定電圧以上の場合にプロジェクタ１０へ電源を供給し、所定電圧を下回るとプロジェクタ１０に対する電源の供給を停止する。プロジェクタ１０のＣＰＵ１０１は、クレードル３０から電源供給されている場合は投影輝度を高め、クレードル３０から電源が供給されない場合には投影輝度を高めないように投射部２を制御する。これにより、クレードル３０内のバッテリー１５７の電力消費を抑えることができる。
【００８８】
（変形例２）
クレードル３０内に、バッテリー１５７と別の予備バッテリーをさらに搭載可能に構成してもよい。この場合のＣＰＵ１５１は、プロジェクタインターフェース(I/F)１６０からプロジェクタ１０へ予備バッテリーがあることを示す信号を送信する。プロジェクタ１０のＣＰＵ１０１は、クレードル３０から予備バッテリーがあることを示す信号を受信した場合は投影輝度を高め、予備バッテリーがあることを示す信号をクレードル３０から受信しない場合には投影輝度を高めないように投射部２を制御する。これにより、クレードル３０側の電源事情に応じて電力消費を制御することができる。
【００８９】
上記の説明では、プロジェクタ１０のフォーカス調節について、クレードル３０側の操作部材（フォーカス調節ダイアル３２）の操作量とプロジェクタ１０側の操作部材（フォーカス調節ダイアル１３）の操作量とを機械式に連動させるようにしたが、両者の操作量を電気信号によって電気的に連動させるように構成してもよい。
【００９０】
投影装置用補助装置をクレードル３０によって構成する例を説明したが、クレードルの代わりに、プロジェクタ１０に付加するタイプの拡張装置として構成してもよい。
【００９１】
以上の説明はあくまで一例であり、発明を解釈する上で、上記の実施形態の構成要素と本発明の構成要素との対応関係に何ら限定されるものではない。
【図面の簡単な説明】
【００９２】
【図１】一実施の形態による小型プロジェクタの三面図であり、(a)は左側面図、(b)は平面図、(c)は正面図である。
【図２】(a)は相対角θ＝９０度まで回動させた図、(b)は相対角θ＝１８０度まで回動させた図、(c)は相対角θ＝２７０度まで回動させた図である。
【図３】プロジェクタおよびクレードルの回路構成を説明するブロック図である。
【図４】プロジェクタのＣＰＵによって行われるメイン処理の流れを説明するフローチャートである。
【図５】プロジェクタが載置されたクレードルを示す三面図であり、(a)は左側面図、(b)は平面図、(c)は正面図である。
【図６】クレードルのＣＰＵによって行われるメイン処理の流れを説明するフローチャートである。
【符号の説明】
【００９３】
１…制御部
２…投射部
３…ヒンジ部
１０…プロジェクタ
１２…投影光学系
３０…クレードル
５３…放熱部材
６０…充填部材
１０１、１５１…ＣＰＵ
１０５…スピーカー
１０６…外部インターフェース
１０７、１５６…電源回路
１０８、１５７…バッテリー
１２４…投射制御回路
１６０…プロジェクタインターフェース
１６１…ステレオスピーカー
２００、２１０、２２０…メモリカード
Ｂ…光束
【図１】
2007047577.tif 000003
【図２】
2007047577.tif 000004
【図３】
2007047577.tif 000005
【図４】
2007047577.tif 000006
【図５】
2007047577.tif 000007
【図６】
2007047577.tif 000008